【手続補正書】
【提出日】平成15年6月18日(2003.6.18)
【手続補正１】
【補正対象書類名】明細書
【補正対象項目名】特許請求の範囲
【補正方法】変更
【補正の内容】
【特許請求の範囲】
【請求項１】
商品の売り手と買い手とからそれぞれ送信される所定の情報に基づいて、電子情報からなる仮想口座を作成する仮想口座作成手段と、
前記商品の買い手の仮想口座に対する前記商品の代金情報を含む入金情報を受信した場合に、前記商品の売り手に対して前記商品の出荷指示を送信し、物流業者に対して前記商品の集荷指示を送信する集荷指示手段と、
前記物流業者から前記商品の買い手に対する前記商品の配送完了報告を受信した場合に、前記商品の代金情報を前記商品の買い手の仮想口座から前記商品の売り手の仮想口座に振り込む仮想口座振込手段と
を有することを特徴とするエスクロー決済システム。
【請求項２】
商品の売り手と買い手とからそれぞれ送信される所定の情報に基づいて、電子情報からなる仮想口座を作成する仮想口座作成手段と、
前記商品の買い手から、前記商品の買い手の仮想口座の残高情報に基づいて前記商品の代金を前記商品の売り手に対して支払う支払指示要求を受信した場合に、前記商品の売り手に対して前記商品の出荷指示を送信し、物流業者に対して前記商品の集荷指示を送信する集荷指示手段と、
前記物流業者から前記商品の買い手に対する前記商品の配送完了報告を受信した場合に、前記商品の代金情報を前記商品の買い手の仮想口座から前記商品の売り手の仮想口座に振り込む仮想口座振込手段と
を有することを特徴とするエスクロー決済システム。
【請求項３】
前記仮想口座振込手段は、前記商品の配送完了報告を受信した後に所定の期間が経過した場合もしくは前記商品の買い手から商品の検品確認報告を受信した場合に、前記商品の代金情報を前記商品の買い手の仮想口座から前記商品の売り手の仮想口座に振り込むことを特徴とする請求項１又は２記載のエスクロー決済システム。
【請求項４】
前記商品の買い手が所定の銀行口座に対して所定の金額の入金を行なった旨の通知を受信した場合には、前記商品の買い手の仮想口座に前記所定の金額に相当する金額情報を入金する仮想口座入金手段と、
前記商品の買い手から、所定の金額情報に相当する金額を前記商品の買い手の仮想口座から前記商品の買い手の銀行口座に振り込む指示を受信する振込指示受信手段と、
前記振込指示受信手段が受信した指示内容に従って、前記金額を前記所定の銀行口座から前記商品の買い手の銀行口座に振り込む振込指示を、所定の金融機関に送信する振込指示送信手段と
を更に有することを特徴とする請求項１から３いずれか記載のエスクロー決済システム。
【請求項５】
前記振込指示受信手段は、前記商品の売り手から、所定の金額情報に相当する金額を前記商品の売り手の仮想口座から前記商品の売り手の銀行口座に振り込む指示を受信し、
前記振込指示送信手段は、前記振込指示受信手段が受信した指示内容に従って、前記金額を前記所定の銀行口座から前記商品の売り手の銀行口座に振り込む振込指示を、所定の金融機関に送信することを特徴とする請求項４記載のエスクロー決済システム。
【請求項６】
前記振込指示受信手段は、前記商品の売り手が、前記商品の代金情報として振り込まれた金額情報に相当する金額を、前記商品の売り手の銀行口座に振り込む指示を受信することを特徴とする請求項４記載のエスクロー決済システム。
【請求項７】
前記商品の買い手の仮想口座の残高情報に基づいて、前記商品の代金を前記商品の売り手に対して支払う支払指示を受信した場合に、前記仮想口座の残高情報よりも前記商品の代金情報が多い場合には、前記支払指示を受け付けない残高確認手段
を更に有することを特徴とする請求項２から６いずれか記載のエスクロー決済システム。
【請求項８】
前記仮想口座の残高情報を管理するための残高管理手段を更に有し、
前記残高管理手段は、前記仮想口座の残高情報に所定の金額情報を加算する仮想口座加算手段と、前記仮想口座の残高情報から所定の金額情報を減算する仮想口座減算手段と、前記仮想口座から指定された仮想口座に、所定の金額情報を振り込む仮想口座振込手段と、を有することを特徴とする請求項２から７いずれか記載のエスクロー決済システム。
【請求項９】
前記物流業者から前記商品の買い手に対する前記商品の配送完了報告を受信した場合に、前記商品の買い手及び／又は売り手から商品返品要求を受信した場合には、前記商品の買い手に対して前記商品の返品出荷指示を送信し、前記物流業者に対して前記商品の返品集荷指示を送信する返品集荷指示手段と、
前記物流業者から前記商品の売り手に対する前記返品する商品の配送完了報告を受信した場合に、前記商品の代金情報を前記商品の買い手の仮想口座に返金する仮想口座返金手段と
を更に有することを特徴とする請求項１から８いずれか記載のエスクロー決済システム。
【請求項１０】
前記仮想口座返金手段は、前記返品する商品の配送完了報告を受信した後に所定の期間が経過した場合もしくは前記返品する商品の売り手から検品確認報告を受信した場合に、前記商品の代金情報を前記商品の買い手の仮想口座に返金することを特徴とする請求項９記載のエスクロー決済システム。
【請求項１１】
前記仮想口座入金手段は、前記商品の買い手が所定の銀行口座に対して所定の金額の入金を行なうための銀行口座入金手段を有し、
前記銀行口座入金手段は、所定の小切手、オンライン伝票、コンビニエンスストア等に設置される端末より所定の条件下で出力される支払伝票、クレジット・カード、銀行振込、商品代引、及び郵便振替のうち少なくともいずれか一つの入金手段を有することを特徴とする請求項４記載のエスクロー決済システム。
【請求項１２】
前記仮想口座入金手段は、前記仮想口座のＩＤ番号と所定の金額情報とを少なくとも記録した媒体を有し、
前記媒体から読み取った前記ＩＤ番号が所定の支払端末装置から送信された場合に、前記ＩＤ番号が一致する仮想口座の残高情報に前記所定の金額情報を加算することを特徴とする請求項４または１１記載のエスクロー決済システム。
【請求項１３】
商品の売り手と商品の買い手とのそれぞれの端末にサーバがアクセス可能に構成されたエスクロー決済システムであって、
前記商品の売り手と前記商品の買い手とが、前記サーバを介して商品の代金支払方法及び／又は商品の受渡について交渉を行なうための交渉手段を提供することを特徴とするエスクロー決済システム。
【請求項１４】
前記交渉手段は、
前記商品の売り手と前記商品の買い手とがアクセス可能な画面上で、前記商品の売り手と前記商品の買い手とがメッセージを入力するメッセージ入力手段と、前記メッセージ入力手段が入力したメッセージを、前記画面上に表示するとともに、前記商品の売り手及び／又は買い手に送信するメッセージ送信手段と、
前記メッセージ送信手段が送信したメッセージをサーバ内に記憶するメッセージ記憶手段と
を有することを特徴とする請求項１３記載のエスクロー決済システム。
【請求項１５】
前記エスクロー決済システムは、所定の物流システムとアクセス可能に構成されており、
商品の売り手及び／又は買い手が入力した商品の集荷配送に関する条件を前記物流システム対して送信し、これに対する返信を受信する集荷配送交渉手段
を更に有することを特徴とする請求項１から１４いずれか記載のエスクロー決済システム。
【請求項１６】
商品の売り手と買い手とからそれぞれ送信される所定の情報に基づいて、電子情報からなる仮想口座を作成し、
前記商品の買い手の仮想口座に対する前記商品の代金情報を含む入金情報を受信した場合に、前記商品の売り手に対して前記商品の出荷指示を送信し、物流業者に対して前記商品の集荷指示を送信し、
前記物流業者から前記商品の買い手に対する前記商品の配送完了報告を受信した場合に、前記商品の代金情報を前記商品の買い手の仮想口座から前記商品の売り手の仮想口座に振り込むこと特徴とするエスクロー決済方法。
【請求項１７】
商品の売り手と商品の買い手とのそれぞれの端末にサーバがアクセスすることができるエスクロー決済方法であって、
前記商品の売り手と前記商品の買い手とがアクセス可能な画面上で、前記商品の売り手と前記商品の買い手とがメッセージを入力し、
この入力されたメッセージを、前記画面上に表示するとともに、前記商品の売り手及び／又は買い手に送信し、
この送信されたメッセージをサーバ内に記憶することを特徴とするエスクロー決済方法。
【請求項１８】
商品の売り手と買い手の端末装置にそれぞれ接続された決済サーバによる決済方法であって、
仮想口座に関する情報を記憶する決済データベースと、
商品の売り手と買い手の端末装置からそれぞれ送信される所定の情報に基づいて、前記商品の売り手と買い手のそれぞれの仮想口座を前記決済データベースに作成する作成ステップと、
前記商品の買い手の仮想口座に対する前記商品の代金情報を含む入金情報を受信した場合に、前記商品の売り手の端末装置に対して入金があった旨を通知する通知ステップと、
所定の条件下で、前記商品の代金情報を前記商品の買い手の仮想口座から前記商品の売り手の仮想口座に振り込む振込ステップと、を備えることを特徴とする決済方法。
【請求項１９】
前記決済サーバは、
前記振込ステップにおいて、前記商品の買い手の端末装置から商品の検品確認報告を受信した場合に、前記商品の代金情報を前記商品の買い手の仮想口座から前記商品の売り手の仮想口座に振り込むこと特徴とする請求項１８記載の決済方法。
【請求項２０】
請求項１６乃至１９いずれか記載の方法をコンピュータで実行させるためのプログラムを格納したコンピュータ読み取り可能な記録媒体。